(57)【要約】【課題】一方の手を作業の途中で持ち変えることなく、伸縮延長管を伸ばすことのできる電気掃除機を提供する。【解決手段】伸縮延長管６は、第１パイプ部７、第２パイプ部１１および第３パイプ部１９によって構成される。第１パイプ部７は取っ手部５に接続されている。第１パイプ部７は、第２パイプ部１１の一端側にスライド可能に保持され、第２パイプ部１１の他端側には、第３パイプ部１９がスライド可能に保持されている。第１パイプ部７には第１ラック歯車９が形成されている。第３パイプ部１９には、第１ラック歯車９と対向するように第２ラック歯車２１が形成されている。第２パイプ部１１は、第２パイプ本体１２、平歯車１３およびカバー体１４によって構成される。平歯車１３は、第１ラック歯車９と第２ラック歯車２１とに噛み合うように、第２パイプ本体１２の側面に取付けられている。【選択図】図２
2008307218.tif 000002
【特許請求の範囲】
【請求項１】
空気とともに塵埃を吸込むための吸込み口体と、
前記吸込み口体から吸込まれた空気に含まれる塵埃を溜める掃除機本体と、
前記吸込み口体と前記掃除機本体との間に接続されて、前記吸込み口体と前記掃除機本体との距離を調整する伸縮延長管と
前記伸縮延長管に接続された取っ手部と
を有し、
前記伸縮延長管は、
前記取っ手部に接続される第１パイプ部と、
一端と他端を有して、前記一端側に前記第１パイプ部をスライド可能に保持する第２パイプ部と、
前記第２パイプ部の前記他端側にスライド可能に保持される第３パイプ部と、
前記取っ手部を一方の手で掴んだ状態で他方の手で前記第２パイプ部を掴み、前記第２パイプと前記取っ手部とを相対的に引離すようにスライド動作をすることによって、前記第３パイプ部が前記第１パイプ部から遠ざかるように前記第３パイプ部をスライド動作させ、前記取っ手部を一方の手で掴んだ状態で他方の手で前記第２パイプ部を掴み、前記第２パイプと前記取っ手部とを相対的に近づけるようにスライド動作をすることによって、前記第３パイプ部が前記第１パイプ部に近づくように前記第３パイプ部をスライド動作させるスライド動作伝達部と
を備えた、電気掃除機。
【請求項２】
前記スライド動作伝達部は、
前記第１パイプ部において、前記第１パイプ部が延在する方向に沿って形成された第１ラック歯車と、
前記第１ラック歯車と対向するように、前記第３パイプ部において、前記第３パイプが延在する方向に沿って形成された第２ラック歯車と、
前記第２パイプ部に取付けられ、前記第１ラック歯車と前記第２ラック歯車との間に位置して、前記第１ラック歯車および前記第２ラック歯車に噛み合う歯車と、
前記第２パイプと前記取っ手部とを相対的に引離すスライド動作により、前記取っ手部に接続された前記第１パイプ部の前記第１ラック歯車に噛み合う前記第２パイプ部の前記歯車が第１の向きに回転することで、前記歯車に噛み合う前記第２ラック歯車により前記第３パイプ部が第１パイプ部から遠ざかるようにスライド動作をし、前記第２パイプと前記取っ手部とを相対的に近づけるスライド動作により、前記取っ手部に接続された前記第１パイプ部の前記第１ラック歯車に噛み合う前記第２パイプ部の前記歯車が、前記第１の向きとは反対の第２の向きに回転することで、前記歯車に噛み合う前記第２ラック歯車により前記第３パイプ部が第１パイプ部に近づくようにスライド動作をする機能と
を備えた、請求項１記載の電気掃除機。
【請求項３】
前記スライド動作伝達部は
前記第２パイプ部に形成された第１滑車と、
前記第１滑車に掛けられ、一端側が前記第１パイプ部に接続され、他端側が前記第３パイプ部に接続される第１ワイヤと、
前記第２パイプ部に形成された第２滑車と、
前記第２滑車に掛けられ、一端側が前記第３パイプ部に接続され、他端側が前記第１パイプ部に接続される第２ワイヤと、
前記取っ手部に接続される前記第１パイプ部を前記第２パイプ部から引き出すスライド動作により、前記第１ワイヤの前記一端側が前記第１パイプとともに引っ張られることで、前記第１滑車に掛けられた前記第１ワイヤの前記他端側が接続された前記第３パイプが前記第１パイプ部から遠ざかるようにスライド動作をし、
前記取っ手部に接続される前記第１パイプ部を前記第２パイプ部へ押し込むスライド動作により、前記第２ワイヤの前記一端部が前記第１パイプ部とともに引っ張られることで、前記第２滑車に掛けられた前記第２ワイヤの前記他端側が接続された前記第３パイプ部が前記第１パイプ部に近づくようにスライド動作をする機能と
を備えた、請求項１記載の電気掃除機。
【請求項４】
前記伸縮延長管は、伸縮した所定の位置において、伸縮した状態を保持するためのクランプ機構を備えた、請求項１〜３のいずれかに記載の電気掃除機。
【発明の詳細な説明】
【技術分野】
【０００１】
本発明は電気掃除機に関し、特に、伸縮延長管を備えた電気掃除機に関するものである。
【背景技術】
【０００２】
一般家庭で用いられている電気掃除機として、図２８に示すように、掃除機本体１０２に延長ホース１０３および伸縮延長管１０６を介在させて吸込み口体１０４が接続された電気掃除機１０１が普及している。掃除機本体１０２内には、たとえばモータ等の負圧を発生する負圧発生源が配設されている。吸込み口体１０４から空気とともに吸込んだ塵埃は、伸縮延長管１０６および延長ホース１０３を流れて掃除機本体１０２内に到達する。掃除機本体１０２内では、塵埃が空気と分離されて、掃除機本体１０２内に配設されたダストカップや集塵袋等に堆積される。
【０００３】
ところで、電気掃除機１０１にて塵埃を除去する際には、掃除する場所に応じて伸縮延長管１０６が縮められた状態で行なわれたり、あるいは、伸ばされた状態で行なわれることになる。たとえば、壁や天井等の比較的高い位置に付着した塵埃を除去しようとする場合には、伸縮延長管１０６を伸ばした状態で掃除が行なわれる。
【０００４】
伸縮延長管を伸ばすには、図２９に示すように、まず、一方の手１９１（たとえば右手）でハンドル部１０５を掴み、他方の手１９２（たとえば左手）で伸縮延長管１０６の先端を掴む。次に、図３０に示すように、一方の手１９１でハンドル部１０５を掴んだ状態で、他方の手１９２で伸縮延長管１０６の先端を引き出す（矢印１６１参照）。次に、図３１に示すように、一方の手１９１をハンドル部１０５から離し、その離した一方の手１９１で伸縮延長管１０６の中央部付近を掴む。そして、その一方の手１９１で伸縮延長管１０６のクランプボタン（図示せず）を押しながら、他方の手１９２で伸縮延長管１０６の先端をさらに引き出す（矢印１６２参照）。こうして、伸縮延長管１０６が伸ばされた状態とされて、高所に付着した塵埃を掃除する作業が行なわれることになる。なお、伸縮延長管を縮めるには上述した一連の作業が逆に行なわれる。このような伸縮延長管を備えた電気掃除機を開示した文献として、たとえば特許文献１〜４がある。
【特許文献１】特開２００１−８８６９号公報
【特許文献２】特開２００１−１７３６５号公報
【特許文献３】特開２００１−３７６８９号公報
【特許文献４】特開２００１−４６２８７号公報
【発明の開示】
【発明が解決しようとする課題】
【０００５】
しかしながら、従来の電気掃除機では次のような問題点があった。上述したように、従来の電気掃除機１０１では、伸縮延長管１０６を伸ばす作業において、ハンドル部１０５を掴んだ一方の手１９１を一旦離し、そして、その離した一方の手１９１で伸縮延長管１０６の中央付近を掴みながらクランプボタンを押す必要があった。また、上述した電気掃除機に限られず、伸縮延長管を備えたこの種の電気掃除機では、伸縮延長管を伸ばそうとする際、あるいは、縮めようとする際には、一方の手を作業の途中で持ち変える必要があった。
【０００６】
本発明は、上記問題点を解決するためになされたものであり、その目的は、一方の手を作業の途中で持ち変えることなく、伸縮延長管を伸ばしたり縮めたりすることのできる電気掃除機を提供することである。
【課題を解決するための手段】
【０００７】
本発明に係る電気掃除機は、吸込み口体と掃除機本体と伸縮延長管と取っ手部とを有している。吸込み口体では、空気とともに塵埃が吸込まれる。掃除機本体では、吸込み口体から吸込まれた空気に含まれる塵埃が溜められる。伸縮延長管は吸込み口体と掃除機本体との間に接続されて、吸込み口体と掃除機本体との距離が調整される。取っ手部は伸縮延長管に接続されている。その伸縮延長管は、第１パイプ部と第２パイプ部と第３パイプ部とスライド動作伝達部とを備えている。第１パイプ部は取っ手部に接続される。第２パイプ部は一端と他端を有して、一端側に第１パイプ部をスライド可能に保持している。第３パイプ部は、第２パイプ部の他端側にスライド可能に保持される。スライド動作伝達部は、取っ手部を一方の手で掴んだ状態で他方の手で第２パイプ部を掴み、第２パイプと取っ手部とを相対的に引離すようにスライド動作をすることによって、第３パイプ部が第１パイプ部から遠ざかるように第３パイプ部をスライド動作させ、取っ手部を一方の手で掴んだ状態で他方の手で第２パイプ部を掴み、第２パイプと取っ手部とを相対的に近づけるようにスライド動作をすることによって、第３パイプ部が第１パイプ部に近づくように第３パイプ部をスライド動作させる。
【０００８】
この構成によれば、第３パイプ部を手で掴むことなく第３パイプ部を第２パイプ部から出したり第２パイプ部に戻したりすることができて、取っ手部を掴んだ一方の手を持ち変えることなく伸縮延長管を伸ばしたり縮めたりすることができる。
【０００９】
第３パイプ部を手で掴むことなくスライド動作させるには、スライド動作伝達部は、第１パイプ部において第１パイプ部が延在する方向に沿って形成された第１ラック歯車と、第１ラック歯車と対向するように、第３パイプ部において第３パイプが延在する方向に沿って形成された第２ラック歯車と、第２パイプ部に取付けられ、第１ラック歯車と第２ラック歯車との間に位置して、第１ラック歯車および第２ラック歯車に噛み合う歯車と、第２パイプと取っ手部とを相対的に引離すスライド動作により、取っ手部に接続された第１パイプ部の第１ラック歯車に噛み合う第２パイプ部の歯車が第１の向きに回転することで、その歯車に噛み合う第２ラック歯車により第３パイプ部が第１パイプ部から遠ざかるようにスライド動作をし、一方、第２パイプと取っ手部とを相対的に近づけるスライド動作により、取っ手部に接続された第１パイプ部の第１ラック歯車に噛み合う第２パイプ部の前記歯車が、第１の向きとは反対の第２の向きに回転することで、歯車に噛み合う第２ラック歯車により第３パイプ部が第１パイプ部に近づくようにスライド動作をする機能を備えていることが好ましい。
【００１０】
また、スライド動作伝達部は、第２パイプ部に形成された第１滑車と、その第１滑車に掛けられ、一端側が第１パイプ部に接続されて、他端側が第３パイプ部に接続される第１ワイヤと、第２パイプ部に形成された第２滑車と、その第２滑車に掛けられ、一端側が第３パイプ部に接続されて、他端側が第１パイプ部に接続される第２ワイヤと、取っ手部に接続される第１パイプ部を第２パイプ部から引き出すスライド動作により、第１ワイヤの一端側が第１パイプとともに引っ張られることで、第１滑車に掛けられた第１ワイヤの他端側が接続された第３パイプ部が第１パイプ部から遠ざかるようにスライド動作をし、一方、取っ手部に接続される第１パイプ部を第２パイプ部へ押し込むスライド動作により、第２ワイヤの一端部が第１パイプ部とともに引っ張られることで、第２滑車に掛けられた第２ワイヤの他端側が接続された第３パイプ部が第１パイプ部に近づくようにスライド動作をする機能を備えていてもよい。
【００１１】
また、伸縮延長管は、伸縮した所定の位置において、伸縮した状態を保持するためのクランプ機構を備えていてもよい。
【００１２】
このようなクランプ機構を備えていることで、掃除する場所に応じて伸縮された伸縮延長管の伸縮状態を保持することができて、効率よく掃除を行なうことができる。
【発明を実施するための最良の形態】
【００１３】
実施の形態１
本発明の実施の形態１に係る電気掃除機について説明する。図１に示すように、電気掃除機１は、掃除機本体２と延長ホース３と伸縮延長管６と吸込み口体４と取っ手部５とを備えている。掃除機本体２には、負圧を発生させるモータ（図示せず）と塵埃を集積する集塵部２ａが配設されている。掃除機本体２に接続された延長ホース３および伸縮延長管６は、モータに連通している。吸込み口体４では、モータにより発生した負圧により、床等に落ちている塵埃が空気とともに吸い込まれる。集塵部２ａでは、吸い込んだ空気に含まれる塵埃が空気と分離されて堆積される。
【００１４】
次に、伸縮延長管６についてさらに詳しく説明する。図２、図３および図４に示すように、伸縮延長管６は、第１パイプ部７、第２パイプ部１１および第３パイプ部１９の３つのパイプ部によって構成される。第１パイプ部７は取っ手部５に接続されている。その第１パイプ部７は、第２パイプ部１１の一端側にスライド可能に保持されている。第２パイプ部の他端側には、第３パイプ部がスライド可能に保持されている。
【００１５】
第１パイプ部７には、第１パイプ部７が延在する方向に沿って第１ラック歯車９が形成されている。その第１ラック歯車９と対向するように、第３パイプ部１９には、第３パイプ部１９が延在する方向に沿って第２ラック歯車２１が形成されている。
【００１６】
第２パイプ部１１は、第２パイプ本体１２、平歯車１３およびカバー体１４によって構成される。平歯車１３は、互いに対向する第１ラック歯車９と第２ラック歯車２１との間に位置して、第１ラック歯車９と第２ラック歯車２１とに噛み合うように第２パイプ本体１２の側面に取付けられている。カバー体１４は第２パイプ本体１２と平歯車１３を覆うように取付けられている。本電気掃除機１は上記のように構成される。
【００１７】
次に、上述した電気掃除機１の動作について説明する。図５に示すように、電源を入れると掃除機本体２に配設されたモータが起動して、吸込み口体４から空気とともに塵埃が吸い込まれる。塵埃を含んだ空気は、吸込み口体４から伸縮延長管６および延長ホース３を流れて掃除機本体２の集塵部２ａに導かれる（矢印４０参照）。集塵部２ａでは、塵埃と空気とが分離されて、塵埃が堆積する。塵埃と分離された空気は、集塵部２ａから掃除機本体２内の所定の通路を経て、最終的に掃除機本体２の外へ排気されることになる。この掃除の間に、たとえば壁や天井などの比較的高い所を掃除する場合には、伸縮延長管６を伸ばす作業が行なわれる。
【００１８】
この伸縮延長管６を伸ばしたり縮めたりする作業は次のように行なわれる。図６に示すように、まず、取っ手部５を一方の手９１（たとえば右手）で掴んだ状態で、他方の手９２（たとえば左手）で第２パイプ部１１を掴む。この状態では、図７に示すように、第１パイプ部７の大部分と第３パイプ部１９の大部分は、まだ、第２パイプ部１１内に収納されている。
【００１９】
次に、図８に示すように、右手で取っ手部５を掴んだ状態で左手で第２パイプ１１を取っ手部５から相対的に引離すようにスライドさせる（矢印４１参照）。このスライド動作により、図９に示すように、第２パイプ部１１に対して第１パイプ部７が相対的に引き出されることになり、第１パイプ部７に形成された第１ラック歯車９によって平歯車１３が矢印４２に示す向きに回転する。
【００２０】
平歯車１３が矢印４２に示す向きに回転することで、平歯車１３に噛み合う第２ラック歯車２１によって、第３パイプ部１９が第２パイプ部１１から相対的に押し出されることになり、第３パイプ部１９は第１パイプ部７から遠ざかるようにスライド動作をする（矢印４３参照）。こうして、図１０および図１１に示すように、第１パイプ部７が第２パイプ部１１から引き出されるとともに、第３パイプ部１９が第２パイプ部１１から押し出された格好となって、伸縮延長管６が伸ばされた状態となる。
【００２１】
伸縮延長管６が伸ばされ状態で、壁や天井などの比較的高い所に吸込み口体４を近づけて、付着している塵埃等を吸込むことができる。また、たとえば家具と家具との隙間の奥にまで吸込み口体４を近づけて、床に落ちている塵埃を吸込むことができる。
【００２２】
次に、こうして伸ばされた伸縮延長管６を縮めるには、前述した一連の作業を逆に行なえばよい。図１２に示すように、まず、第２パイプ１１を取っ手部５に相対的に近づけるようにスライドさせる（矢印４４参照）。このスライド動作により、図１３に示すように、第２パイプ部１１に対して第１パイプ部７が押し込まれることになり、第１パイプ部７に形成された第１ラック歯車９によって平歯車１３が矢印４５に示す向きに回転する。
【００２３】
図１４および図１５に示すように、平歯車１３が矢印４５に示す向きに回転することで、平歯車１３に噛み合う第２ラック歯車２１によって、第３パイプ部１９は第２パイプ部１１に引き戻されることになって、第３パイプ部１９は第１パイプ部７に近づくようにスライド動作をする（矢印４６参照）。こうして、図１６および図１７に示すように、第１パイプ部７が第２パイプ部１１に押し込まれるとともに、第３パイプ部１９が第２パイプ部１１に引き戻される格好となって、伸縮延長管６が縮められた状態となる。こうして、第１ラック歯車９、第２ラック歯車２１および平歯車１３を使って、伸縮延長管６の伸縮動作を行なうことができる。
【００２４】
上述した電気掃除機１では、伸縮延長管６を伸ばすには、取っ手部５を一方の手９１（たとえば右手）で掴んだ状態で、第１パイプ部７が第２パイプ部１１から相対的に引き出される態様で他方の手９２（たとえば左手）で第２パイプ部６をスライドさせることで、第１パイプ部７に形成された第１ラック歯車９に噛み合う平歯車１３が所定の向きに回転をし、その回転する歯車に噛み合う第３パイプ部１９に形成された第２ラック歯車２１により、第３パイプ部１９が第２パイプ部６から押し出されることになる。
【００２５】
反対に、伸縮延長管６を縮めるには、取っ手部５を一方の手９１で掴んだ状態で、第１パイプ部７を第２パイプ部１１に相対的に押し込む態様で他方の手９２で第２パイプ部６をスライドさせることで、第１パイプ部７に形成された第１ラック歯車９に噛み合う平歯車１３が、伸ばす場合とは反対の向きに回転をし、その回転する歯車に噛み合う第３パイプ部１９に形成された第２ラック歯車２１により、第３パイプ部１９が第２パイプ部６に引き戻されることになる。これにより、取っ手部５を掴んだ一方の手を持ち変えることなく伸縮延長管６を伸ばしたり、縮めたりすることができ、電気掃除機１の操作性を向上させることができる。
【００２６】
実施の形態２
本発明の実施の形態２に係る電気掃除機について説明する。ここでは、伸縮延長管の他の例を挙げて説明する。図１８、図１９、図２０および図２１に示すように、伸縮延長管６は、第１パイプ部７、第２パイプ部１１および第３パイプ部１９の３つのパイプ部によって構成される。第１パイプ部７は取っ手部５（図１参照）に接続される。その第１パイプ部７は、第２パイプ部１１の一端側にスライド可能に保持される。第２パイプ部の他端側には、第３パイプ部がスライド可能に保持される。
【００２７】
第２パイプ部１１は、第２パイプ本体１２、第１滑車１５、第２滑車１６およびカバー体１４によって構成される。第１滑車１５には第１ワイヤ１７が掛けられる。特に、図１９に示すように、第１滑車１５に掛けられる第１ワイヤ１７の一端１７ａは第１パイプ部７に接続され、他端１７ｂは第３パイプ部１９に接続されている。後述するように、この第１ワイヤ１７は伸縮延長管６を伸ばす動作に寄与することになる。
【００２８】
一方、第２滑車１６には第２ワイヤ１８が掛けられる。特に、図２０に示すように、第２滑車１６に掛けられる第２ワイヤ１８の一端１８ａは第１パイプ部７に接続され、他端１８ｂは第３パイプ部１９に接続されている。後述するように、この第２ワイヤ１８は伸縮延長管６を縮める動作に寄与することになる。なお、これ以外の構成については、前述した電気掃除機と同じ構成なので、その説明を省略する。
【００２９】
次に、上述した電気掃除機１の伸縮延長管６を伸ばしたり縮めたりする作業について説明する。まず、取っ手部５を一方の手（たとえば右手）で掴んだ状態で、他方の手（たとえば左手）で第２パイプ部１１を掴む（図６参照）。次に、右手で取っ手部５を掴んだ状態で左手で第２パイプ１１を取っ手部５から相対的に引離すようにスライドさせる（図７参照）。図２２に示すように、このスライド動作により、第２パイプ部１１に対して第１パイプ部７が相対的に矢印５０に示す向きに引き出されることになる。このとき、第１パイプ部７が矢印５０に示す向きに引き出されることで、第１パイプ部７に接続された第１ワイヤ１７の一端１７ａ側が、矢印５１に示す向きに動き始める。
【００３０】
そうすると、第１滑車１５に掛けられた第１ワイヤ１７の他端１７ｂ側は、矢印５１とは反対向きの矢印５２に示す向きに動き始める。第１ワイヤ１７の他端１７ｂは、第３パイプ部１９に接続されている。そのため、図２２に示すように、第３パイプ部は、第１ワイヤ１７の一端１７ｂの動きとともに第２パイプ部１１から引き出される格好で、矢印５３に示す向きに第１パイプ部７から遠ざかるようにスライド動作を始める。
【００３１】
図２３に示すように、第２パイプ１１を取っ手部５から引離すようにさらにスライドさせると、そのスライド動作に合わせて、第１パイプ部７が第２パイプ部１１から引き出される（矢印５０）とともに、第３パイプ部１９が第２パイプ部１１から引き出されて（矢印５３）、最終的に、図２４に示すように、伸縮延長管６が伸ばされた状態となる。
【００３２】
次に、伸ばされた伸縮延長管６を縮めるには、前述した一連の作業を逆に行なえばよい。図２５に示すように、まず、第２パイプ１１を取っ手部５に相対的に近づけるようにスライドさせる。このスライド動作により、第２パイプ部１１に対して第１パイプ部７が相対的に矢印５４に示す向きに押し込まれることになる。このとき、第１パイプ部７が矢印５４に示す向きに押し込まれることで、第１パイプ部７に接続された第２ワイヤ１８の一端１８ａ側が、矢印５６に示す向きに動き始める。
【００３３】
そうすると、第２滑車１６に掛けられた第２ワイヤ１８の他端１８ｂ側は、矢印５６とは反対向きの矢印５５に示す向きに動き始める。第２ワイヤ１８の他端１８ｂは、第３パイプ部１９に接続されている。そのため、図２５に示すように、第３パイプ部１９は、第２ワイヤ１８の一端１８ｂの移動とともに第２パイプ部１１に引き戻される格好で、矢印５７に示す向きに第１パイプ部７に近づくようにスライド動作を始める。
【００３４】
図２６に示すように、第２パイプ１１を取っ手部５に近づけるようにさらにスライドさせると、そのスライド動作に合わせて、第１パイプ部７が第２パイプ部１１に押し込まれる（矢印５４）とともに、第３パイプ部１９が第２パイプ部１１に引き戻されて（矢印５７）、最終的に、図２７に示すように、伸縮延長管６が縮められた状態となる。こうして、第１ワイヤ１７および第２ワイヤ１８の２本のワイヤを使って、伸縮延長管６の伸縮動作を行なうことができる。
【００３５】
上述した電気掃除機１では、伸縮延長管６を伸ばすには、取っ手部５を一方の手９１（たとえば右手）で掴んだ状態で、第１パイプ部７が第２パイプ部１１から相対的に引き出される態様で他方の手９２（たとえば左手）で第２パイプ部６をスライドさせることで、第１パイプ部７に接続された第１ワイヤ１７の一端１７ａ側が第１パイプ部７のスライドとともに動き出す一方、第３パイプ部１９に接続された第１ワイヤ１７の他端１７ｂは、そのスライド方向とは反対の向きに動き出して、第３パイプ部１９が第２パイプ部６から引き出されることになる。
【００３６】
反対に、伸縮延長管６を縮めるには、取っ手部５を一方の手９１で掴んだ状態で、第１パイプ部７を第２パイプ部１１に相対的に押し込む態様で他方の手９２で第２パイプ部６をスライドさせることで、第１パイプ部７に接続された第２ワイヤ１７の一端１８ａ側が第１パイプ部７のスライドとともに動き出す一方、第３パイプ部１９に接続された第２ワイヤ１８の他端１８ｂは、そのスライド方向とは反対の向きに動き出して、第３パイプ部１９が第２パイプ部６に引き戻されることになる。これにより、取っ手部５を掴んだ一方の手を持ち変えることなく伸縮延長管６を伸ばしたり、縮めたりすることができ、電気掃除機１の操作性を向上させることができる。
【００３７】
なお、上述した各実施の形態では、伸縮延長管６を伸ばす途中において、適当な長さになった状態でクランプ２４により第１パイプ部８を第２パイプ部１１に固定するようにしてもよい。
【００３８】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００３９】
【図１】本発明の実施の形態１に係る電気掃除機を示す斜視図である。
【図２】同実施の形態において、図１に示す電気掃除機に使用される伸縮延長管を示す縦断面図である。
【図３】同実施の形態において、図２に示す伸縮延長管の分解斜視図である。
【図４】同実施の形態において、図２に示す断面線ＩＶ−ＩＶにおける断面図である。
【図５】同実施の形態において、電気掃除機の動作を説明するための斜視図である。
【図６】同実施の形態において、伸縮延長管を伸ばす動作を説明するための一状態を示す部分正面図である。
【図７】同実施の形態において、図６に示す状態における伸縮延長管を示す縦断面図である。
【図８】同実施の形態において、図６に示す状態の後の状態を示す部分正面図である。
【図９】同実施の形態において、図８に示す状態における伸縮延長管を示す縦断面図である。
【図１０】同実施の形態において、図８に示す状態の後の状態を示す部分正面図である。
【図１１】同実施の形態において、図１０に示す状態における伸縮延長管を示す縦断面図である。
【図１２】同実施の形態において、伸縮延長管を縮める動作を説明するための一状態を示す部分正面図である。
【図１３】同実施の形態において、図１２に示す状態における伸縮延長管を示す縦断面図である。
【図１４】同実施の形態において、図１２に示す状態の後の状態を示す部分正面図である。
【図１５】同実施の形態において、図１４に示す状態における伸縮延長管を示す縦断面図である。
【図１６】同実施の形態において、図１４に示す状態の後の状態を示す部分正面図である。
【図１７】同実施の形態において、図１６に示す状態における伸縮延長管を示す縦断面図である。
【図１８】本発明の実施の形態２に係る電気掃除機に使用される伸縮延長管の分解斜視図である。
【図１９】同実施の形態において、図１８に示す伸縮延長管を示す第１の縦断面図である。
【図２０】同実施の形態において、図１８に示す伸縮延長管を示す第２の縦断面図である。
【図２１】同実施の形態において、図１８または図１９に示す断面線ＸＸＩ−ＸＸＩにおける断面図である。
【図２２】同実施の形態において、伸縮延長管を伸ばす動作を説明するための伸縮延長管の一状態を示す縦断面図である。
【図２３】同実施の形態において、図２２に示す状態の後の状態の伸縮延長管を示す縦断面図である。
【図２４】同実施の形態において、図２３に示す状態の後の状態の伸縮延長管を示す縦断面図である。
【図２５】同実施の形態において、伸縮延長管を縮める動作を説明するための伸縮延長管の一状態を示す縦断面図である。
【図２６】同実施の形態において、図２５に示す状態の後の状態の伸縮延長管を示す縦断面図である。
【図２７】同実施の形態において、図２６に示す状態の後の状態の伸縮延長管を示す縦断面図である。
【図２８】従来の電気掃除機を示す斜視図である。
【図２９】従来の電気掃除機において、伸縮延長管を伸ばす動作を説明するための一状態を示す部分正面図である。
【図３０】図２９に示す状態の後の状態を示す部分正面図である。
【図３１】図３０に示す状態の後の状態を示す部分正面図である。
【符号の説明】
【００４０】
１  電気掃除機、２  掃除機本体、２ａ  集塵部、３  延長ホース、４  吸込み口体、５  取っ手部、６  伸縮延長管、７  第１パイプ部、８  第１パイプ本体、９  第１ラック歯車、１１  第２パイプ部、１２  第２パイプ本体、１３  平歯車、１４  カバー体、１５  第１滑車、１６  第２滑車、１７  第１ワイヤ、１８  第２ワイヤ、１７ａ，１８ａ  一端、１７ｂ，１８ｂ  他端、１９  第３パイプ部、２０  第３パイプ本体、２１  第２ラック歯車、２４  クランプ。
【図１】
2008307218.tif 000003
【図２】
2008307218.tif 000004
【図３】
2008307218.tif 000005
【図４】
2008307218.tif 000006
【図５】
2008307218.tif 000007
【図６】
2008307218.tif 000008
【図７】
2008307218.tif 000009
【図８】
2008307218.tif 000010
【図９】
2008307218.tif 000011
【図１０】
2008307218.tif 000012
【図１１】
2008307218.tif 000013
【図１２】
2008307218.tif 000014
【図１３】
2008307218.tif 000015
【図１４】
2008307218.tif 000016
【図１５】
2008307218.tif 000017
【図１６】
2008307218.tif 000018
【図１７】
2008307218.tif 000019
【図１８】
2008307218.tif 000020
【図１９】
2008307218.tif 000021
【図２０】
2008307218.tif 000022
【図２１】
2008307218.tif 000023
【図２２】
2008307218.tif 000024
【図２３】
2008307218.tif 000025
【図２４】
2008307218.tif 000026
【図２５】
2008307218.tif 000027
【図２６】
2008307218.tif 000028
【図２７】
2008307218.tif 000029
【図２８】
2008307218.tif 000030
【図２９】
2008307218.tif 000031
【図３０】
2008307218.tif 000032
【図３１】
2008307218.tif 000033